【事件の表示】
　特願２０１６−１２７８８４「ピッチフィルタ及び関連する方法」拒絶査定不服審判事件〔平成２８年１１月１７日出願公開、特開２０１６−１９４７１１〕について、次のとおり審決する。
【結　論】
　本件審判の請求は、成り立たない。
【理　由】
第１　手続の経緯
　本願は、２０１１年（平成２３年）６月２３日（パリ条約による優先権主張外国庁受理２０１０年７月２日、米国）を国際出願日として出願された特願２０１３−５１７２０３号の一部が平成２７年５月７日に新たに特願２０１５−９４７２９号として特許出願された後に、さらに当該特願２０１５−９４７２９号の一部が平成２８年６月２８日に新たに特許出願されたものであって、その手続の経緯は以下のとおりである。
　平成２８年１０月２５日付け：拒絶理由通知書
　平成２９年　２月　１日　　：意見書、手続補正書の提出
　　　　同年　４月１４日付け：拒絶査定
　　　　同年　８月１７日　　：審判請求書の提出
第２　本願発明
　本願の請求項に係る発明は、特許請求の範囲の請求項１ないし１５に記載された事項により特定されるものと認められるところ、その請求項１に係る発明（以下、「本願発明」という。）は、以下のとおりのものである。
　なお、各構成の符号（Ａ）〜（Ｅ）は、説明のために当審で付したものであり、以下、構成Ａ〜構成Ｅと称する。
（本願発明）
（Ａ）オーディオビットストリームから生成された予備的オーディオ信号をフィルタするピッチエンハンスメントフィルタであって、前記ピッチエンハンスメントフィルタは
（Ｂ）（ｉ）前記予備的オーディオ信号がフィルタリング情報を用いてフィルタされ、フィルタ後オーディオ信号が得られるアクティブモードと、
　（ｉｉ）前記ピッチエンハンスメントフィルタがディスエーブルされる非アクティブモードと
　のうち一つから選択される動作モードを有し、
（Ｃ）前記予備的オーディオ信号は、少なくとも２つの区別できる符号化モードから選択される符号化モードで動作するオーディオデコーダで生成され、
（Ｄ）前記オーディオデコーダが前記符号化モードで動作しているとき、前記ピッチエンハンスメントフィルタは、前記オーディオビットストリームに格納された制御情報に基づきアクティブモードまたは非アクティブモードで選択的に動作でき、
（Ｅ）前記オーディオビットストリームはオーディオコンテンツのフレームに分割され、前記制御情報はフレームタイプパラメータを含み、
　前記フレームタイプパラメータの第１の値は前記ピッチエンハンスメントフィルタが前記アクティブモードで動作すべきことを示し、
　前記フレームタイプパラメータの第２の値は前記ピッチエンハンスメントフィルタが前記非アクティブモードで動作すべきことを示す、
（Ａ）ピッチエンハンスメントフィルタ。
第３　引用文献
１　引用文献１
（１）引用文献１の記載事項
　原査定の拒絶の理由で引用された、本願の優先日前に頒布された又は電気通信回線を通じて公衆に利用可能となった特開平９−２６１１８４号公報（以下、「引用文献１」という。）には、次の事項が記載されている。（以下、下線は強調のために当審で付したものである。）
「【０００１】
【発明の属する技術分野】
本発明は音声復号化装置に関し
「【０００７】
図５を参照すると、従来の音声復号化装置の背景雑音生成方式は、受信情報を入力する入力端子５１と、受信情報を記憶する受信情報記憶部５２と、復号化処理に使用する符号を生成する符号生成部５３と、符号の復号化処理を行う復号化処理部５４と、出力信号を出力する出力端子５５とにより構成されている。
【０００８】以下、送信側で符号化すべき音声信号が存在する状態を有音、符号化すべき音声信号が存在しない状態を無音と呼ぶことにする。また、
符号化側で音声信号を符号化した符号を単に符号と呼ぶ
【０００９】
受信情報記憶部５２は、受信符号格納部５２１と、有音／無音情報格納部５２２とを備えている。受信符号格納部５２１は、受信した符号を入力端子５１から入力し、格納する。有音／無音情報格納部５２２は、現在の状態が有音であるか無音であるかという情報（以下、有音／無音情報と呼ぶ。）を入力端子５１から入力し、格納する。
「【００５０】図１を参照すると、
本発明による音声復号化装置の背景雑音生成方式の第１の実施の形態は、受信情報を入力する入力端子１１と、受信情報を記憶する受信情報記憶部１２と、復号化処理に使用する符号を生成する符号生成部１３と、符号の復号化処理を行う復号化処理部１４と、出力信号を出力する出力端子１５とを含む。
【００５１】
受信情報記憶部１２は、受信符号格納部１２１と、有音／無音情報格納部１２２とを備えている。受信符号格納部１２１は、受信した符号を入力端子１１から入力し、格納する。有音／無音情報格納部１２２は、有音／無音情報を入力端子１１から入力し、格納する。尚、受信情報記憶部１２、受信符号格納部１２１、有音／無音情報格納部１２２の構成は、図５に示した従来の受信情報記憶部５２、受信符号格納部５２１、有音／無音情報格納部５２２の構成と同一である。
【００５２】
符号生成部１３は、
符号制御部ｃ１３１
を備えている。符号制御部ｃ１３１は
以下のように制御する。
【００５３】
有音の場合は受信符号格納部１２１に格納されている受信符号をそのまま復号化処理部１４へ出力する。無音の場合は背景雑音用符号生成部１３１を駆動し、受信符号格納部１２１より入力した前記符号から背景雑音生成用の符号を生成し、復号化処理部１４に出力する。
【００５４】尚、
符号生成部１３、背景雑音用符号生成部１３１、符号制御部ｃ１３１、符号切替部ｓ１３１の構成は、図５で示した従来の符号生成部５３、背景雑音用符号生成部５３１、符号制御部ｃ５３１、符号切替部ｓ５３１の構成と同一である。
【００５５】
復号化処理部１４は励振信号生成部１４１と、合成信号生成部１４２と、ポストフィルタ部１４３と、ポストフィルタ状態更新部１４４と、ポストフィルタ制御部ｃ１４４と、ポストフィルタ切替部ｓ１４４と、出力信号補間処理部１４５と、出力信号制御部ｃ１４５と、出力信号切替部ｓ１４５とを備える。
【００５６】符号生成部１３より入力された符号は励振信号生成部１４１、合成信号生成部１４２、ポストフィルタ部１４３に伝送される。
【００５７】
励振信号生成部１４１は符号生成部１３より入力した符号より励振信号を生成し、出力する。
【００５８】
合成信号生成部１４２は入力した励振信号を合成フィルタに通して合成信号を生成し、出力する。
【００５９】
ポストフィルタ制御部ｃ１４４は、有音／無音情報格納部１２２に格納されている有音／無音情報により、ポストフィルタ部１４３、ポストフィルタ状態更新部１４４、ポストフィルタ切替部ｓ１４８の動作を制御する。
【００６０】
有音の場合は、ポストフィルタ制御部ｃ１４４は、ポストフィルタ部１４３を駆動する。ポストフィルタ部５４３は合成信号生成部５４２で生成された合成信号をポストフィルタに通してポストフィルタ出力信号を生成し、出力する。
【００６１】
無音の場合は、ポストフィルタ制御部ｃ１４４は、ポストフィルタ状態更新部１４４を駆動する。ポストフィルタ状態更新部１４４は、合成信号生成部１４２から出力された無音時の合成信号である背景雑音信号をそのまま出力する
「【００７９】有音の場合は、ポストフィルタ制御部ｃ１４４はポストフィルタ部１４３を駆動する。
ポストフィルタ部１４３は符号生成部１３より入力した符号のうち、音声信号のスペクトル包絡情報、ピッチ情報を表す符号よりポストフィルタを形成し
ポストフィルタの構成形式としては、例えば、合成音声信号のピッチ成分を強調するピッチ強調フィルタと高域の周波数成分を強調する高域強調フィルタとスペクトル包絡を強調するスペクトル整形フィルタとの縦続接続という形が挙げられる。
【００８０】
ピッチ成分を強調するピッチ強調フィルタの伝達関数Ｐ（ｚ）としては、例えば次のような形が挙げられる。
【００８１】
【数５】
【００８２】ただし、
ｌａｇを励振信号のピッチ周期の値（例えば２０〜１４６）とする。
「【図１】
　　　　　　　　　　　　　　　　　　　　　　　　　　　　」
（２）引用文献１に記載の技術的事項
　上記（１）に摘記した記載から、引用文献１には、以下（ア）〜（ケ）の技術的事項が記載されているものと認められる。
（ア）音声復号化装置
　段落０００１から、引用文献１には、「音声復号化装置」が記載されている。
（イ）受信情報記憶部
　段落００５０には、前記音声復号化装置は、「受信情報を入力する入力端子１１と、受信情報を記憶する受信情報記憶部１２と、復号化処理に使用する符号を生成する符号生成部１３と、符号の復号化処理を行う復号化処理部１４と、出力信号を出力する出力端子１５とを含む」ことが記載されている。
　ここで、段落００５１には、受信情報記憶部１２の構成は図５に示した従来の受信情報記憶部５２の構成と同一であること、同じく、段落００５４には、符号生成部１３の構成は、図５で示した従来の符号生成部５３の構成と同一であることが記載されている。そして、従来の受信情報記憶部について記載されている段落０００８、段落０００９の記載によれば、入力端子から入力する前記受信情報は、「符号」と「有音／無音情報」であること、また、前記「符号」は、音声信号を符号化した符号であることが記載されている。
　また、段落００５１には、「受信情報記憶部１２は、受信符号格納部１２１と、有音／無音情報格納部１２２とを備え」ることが記載され、さらに、前記「受信符号格納部１２１」は「受信した符号を入力端子１１から入力し、格納する」ものであること、及び、前記「有音／無音情報格納部１２２」は「有音／無音情報を入力端子１１から入力し、格納する」ものであることが、それぞれ記載されている。
　よって、これらの記載を総合すると、
「受信情報を入力する入力端子１１と、受信情報（音声信号を符号化した「符号」と「有音／無音情報」）を記憶する受信情報記憶部１２と、復号化処理に使用する符号を生成する符号生成部１３と、符号の復号化処理を行う復号化処理部１４と、出力信号を出力する出力端子１５とを含む音声復号化装置において、
　前記受信情報記憶部１２は、受信した符号を入力端子１１から入力し、格納する受信符号格納部１２１と、有音／無音情報を入力端子１１から入力し、格納する有音／無音情報格納部１２２とを備え」ることが記載されている。
（ウ）符号生成部
　段落００５２、段落００５３から、前記符号生成部１３は、「有音の場合は受信符号格納部１２１に格納されている受信符号をそのまま復号化処理部１４へ出力する。無音の場合は背景雑音用符号生成部１３１を駆動し、受信符号格納部１２１より入力した前記符号から背景雑音生成用の符号を生成し、復号化処理部１４に出力する」ことが記載されている。
（エ）復号化処理部
　段落００５５から、前記復号化処理部１４は、「励振信号生成部１４１と、合成信号生成部１４２と、ポストフィルタ部１４３と、ポストフィルタ状態更新部１４４と、ポストフィルタ制御部ｃ１４４を備え」ることが記載されている。
　段落００５７から、前記励振信号生成部１４１は、「符号生成部１３より入力した符号より励振信号を生成し、出力する」ことが、段落００５８から、前記合成信号生成部１４２は、「入力した励振信号を合成フィルタに通して合成信号を生成し、出力する」ことが、段落００５９から、前記ポストフィルタ制御部ｃ１４４は、「有音／無音情報格納部１２２に格納されている有音／無音情報により、ポストフィルタ部１４３、ポストフィルタ状態更新部１４４の動作を制御する」ことが記載されている。
　よって、これらの記載を総合すると、前記復号化処理部１４は、「符号生成部１３より入力した符号より励振信号を生成し、出力する励振信号生成部１４１と、入力した励振信号を合成フィルタに通して合成信号を生成し、出力する合成信号生成部１４２と、ポストフィルタ部１４３と、ポストフィルタ状態更新部１４４と、前記有音／無音情報により前記ポストフィルタ部１４３及びポストフィルタ状態更新部１４４の動作を制御するポストフィルタ制御部ｃ１４４を備え」ることが記載されている。
（オ）ポストフィルタ部
　段落００５５から、引用文献１には、「音声復号化装置の前記復号化処理部が備えるポストフィルタ部」が記載されている。
（カ）段落００７９から、前記ポストフィルタ部は、「符号生成部１３より入力した符号のうち、音声信号のスペクトル包絡情報、ピッチ情報を表す符号よりポストフィルタを形成」すること、前記ポストフィルタの構成形式としては、「合成音声信号のピッチ成分を強調するピッチ強調フィルタと高域の周波数成分を強調する高域強調フィルタとスペクトル包絡を強調するスペクトル整形フィルタとの縦続接続という形」であることが記載されている。
（キ）段落００８０〜段落００８２から、ピッチ成分を強調する前記ピッチ強調フィルタは、伝達関数Ｐ（ｚ）が「ｌａｇを励振信号のピッチ周期の値（例えば２０〜１４６）とする」ものであることが記載されている。
（ク）段落００６０から、「有音の場合は、ポストフィルタ制御部ｃ１４４は、ポストフィルタ部１４３を駆動する。ポストフィルタ部５４３は合成信号生成部５４２で生成された合成信号をポストフィルタに通してポストフィルタ出力信号を生成し、出力する」ことが記載されている。
（ケ）段落００６１から、「無音の場合は、ポストフィルタ制御部ｃ１４４は、ポストフィルタ状態更新部１４４を駆動する。ポストフィルタ状態更新部１４４は、合成信号生成部１４２から出力された無音時の合成信号である背景雑音信号をそのまま出力する」ことが記載されている。
（３）引用発明
　上記（２）より、引用文献１には、次の発明（以下、「引用発明」という。）が記載されていると認められる。
　なお、各構成の符号（ａ）〜（ｉ）は、説明のために当審で付したものであり、以下、構成ａ〜構成ｉと称する。
〔引用発明〕
（ａ）受信情報を入力する入力端子と、受信情報（音声信号を符号化した符号と、有音／無音情報）を記憶する受信情報記憶部と、復号化処理に使用する符号を生成する符号生成部と、符号の復号化処理を行う復号化処理部と、出力信号を出力する出力端子とを含む音声復号化装置において、
（ｂ）前記受信情報記憶部は、受信した符号を入力端子から入力し、格納する受信符号格納部と、有音／無音情報を入力端子から入力し、格納する有音／無音情報格納部とを備え、
（ｃ）前記符号生成部は、有音の場合は受信符号格納部に格納されている受信符号をそのまま復号化処理部へ出力し、無音の場合は背景雑音用符号生成部を駆動し、受信符号格納部より入力した前記符号から背景雑音生成用の符号を生成し、復号化処理部に出力し、
（ｄ）前記復号化処理部は、符号生成部より入力した符号より励振信号を生成し、出力する励振信号生成部と、入力した励振信号を合成フィルタに通して合成信号を生成し、出力する合成信号生成部と、ポストフィルタ部と、ポストフィルタ状態更新部と、前記有音／無音情報により前記ポストフィルタ部及びポストフィルタ状態更新部の動作を制御するポストフィルタ制御部を備え、
（ｅ）前記音声復号化装置の前記復号化処理部が備えるポストフィルタ部であって、
（ｆ）前記ポストフィルタ部は、符号生成部より入力した符号のうち、音声信号のスペクトル包絡情報、ピッチ情報を表す符号よりポストフィルタを形成し、
前記ポストフィルタの構成形式としては、合成音声信号のピッチ成分を強調するピッチ強調フィルタと高域の周波数成分を強調する高域強調フィルタとスペクトル包絡を強調するスペクトル整形フィルタとの縦続接続という形であり、
（ｇ）前記ピッチ強調フィルタの伝達関数Ｐ（ｚ）は、ｌａｇを励振信号のピッチ周期の値（例えば２０〜１４６）とするものであり、
（ｈ）有音の場合は、前記ポストフィルタ制御部は、前記ポストフィルタ部を駆動し、前記ポストフィルタ部は前記合成信号生成部で生成された合成信号をポストフィルタに通してポストフィルタ出力信号を生成し、出力するものであり、
（ｉ）無音の場合は、前記ポストフィルタ制御部は、前記ポストフィルタ状態更新部を駆動し、前記ポストフィルタ状態更新部は前記合成信号生成部から出力された無音時の合成信号である背景雑音信号をそのまま出力するものである
（ｅ）音声復号化装置の前記復号化処理部が備えるポストフィルタ部。
２　引用文献２
（１）引用文献２の記載事項
　原査定の拒絶の理由で引用された、本願の優先日前に頒布された又は電気通信回線を通じて公衆に利用可能となった国際公開第２０１０／０４０５２２号（以下、「引用文献２」という。）には、次の事項が記載されている。
「
The present invention is related to audio coding
（仮訳：
本発明は、オーディオ符号化に関し
「
Fig. 2a illustrates a preferred encoding scheme in accordance
（仮訳：
図２ａは
符号化スキームを示す
「Preferably, 
the decision stage 300 receives the signal input into block 101 or input into block 102 in order to decide between, for example, a music mode or a speech mode. In the music mode, the upper encoding branch 400 is selected, while, in the speech mode, the lower encoding branch 500 is selected.
（仮訳：好適には、
判定ステージ３００はブロック１０１に入力された信号やブロック１０２に入力された信号を受け取り、例えば音楽モード又はスピーチモードを判定する。音楽モードの場合には上方の符号化分枝４００が選択され、スピーチモードの場合には下方の符号化分枝５００が選択される。
「
In the first coding branch 400, a spectral converter preferably comprises a specifically adapted MDCT operation having certain window functions followed by a quantization/entropy encoding stage
（仮訳：
第１符号化分枝４００においては、スペクトル変換器は、好適には、所定の窓関数を有する特別に適合化されたＭＤＣＴ操作と、それに続く量子化／エントロピー符号化ステージとを含んでいる。
「
In the second coding branch, there is the LPC block 510 followed by a switch 521, again followed by an ACELP block 526 or an TCX block 527.
Generally, the ACELP block 526 receives an LPC excitation signal
（仮訳：
第２符号化分枝には、ＬＰＣブロック５１０とそれに続くスイッチ５２１があり、さらにＡＣＥＬＰブロック５２６又はＴＣＸブロック５２７が続いている。
一般的に、ＡＣＥＬＰブロック５２６は
ＬＰＣ励振信号を受け取り
「
Fig. 2b illustrates a decoding scheme corresponding to the encoding scheme of Fig. 2a.
Depending on an information derived for example from the bitstream via a mode detection block 601, a decoder-side switch 600 is controlled to either forward signals from the upper branch or signals from the lower branch to the bandwidth extension block 701.
（仮訳：
図２ｂは、図２ａの符号化スキームに対応する復号化スキームを示す。
モード検出ブロック６０１を介してビットストリームから導出される情報に依存して、復号器側スイッチ６００は、上方の分枝からの信号又は下方の分枝からの信号のどちらかを帯域拡張ブロック７０１へと送り出す。
「
 　　　　　　　　　　　　　　　　　　　　　　　　　　　　　　　　」
「
  　　　　　　　　　　　　　　　　　　　　　　　　　　　　　　　　」
（２）引用文献２に記載の技術的事項
　上記（１）に摘記した記載から、引用文献２には以下の周知技術（以下、「引用文献２に記載の周知技術」という。）が記載されていると認められる。
（引用文献２に記載の周知技術）
　音楽モードとスピーチモードに応じて、ＭＤＣＴ操作及び量子化／エントロピー符号化による符号化／復号化処理と、ＬＰＣ及びＡＣＥＬＰによる符号化／復号化処理を選択するオーディオ信号の符号化／復号化技術。
３　引用文献３
（１）引用文献３の記載事項
　原査定の拒絶の理由で引用された、本願の優先日前に頒布された又は電気通信回線を通じて公衆に利用可能となった特開２００１−１４７７００号公報（以下、「引用文献３」という。）には、次の事項が記載されている。
「【００１０】
【発明が解決しようとする課題】ＣＥＬＰ方式におけるポストフィルタにおいて問題となるのは、ピッチ強調の処理が符号化／復号化と同様に、フレーム単位で行われる（音声符号化という利用分野ではフレーム単位で行わざるをえない）ことである。つまり、フレーム内では信号の音響特性が一定であるという前提にたって処理が行われるために、フレーム長がある程度長い場合（例えば10msec以上）で、ピッチ周期やピッチ周期性の特性がフレーム内で変化しているような過渡的な特性の部分ではフレーム内でピッチ周期やピッチの周期性の度合などが一定であると仮定する処理では十分な品質を得ることができないという問題がある。」
（２）引用文献３に記載の技術的事項
　上記（１）に摘記した記載から、引用文献３には以下の周知技術（以下、「引用文献３に記載の周知技術」という。）が記載されていると認められる。
（引用文献３に記載の周知技術）
　音声符号化／復号化の分野において、符号化／復号化の処理と同様にフレーム単位でポストフィルタの処理を行う技術。
第４　対比
　本願発明と引用発明とを対比する。
１　構成Ａについて
　引用発明の構成ｆの「ピッチ強調フィルタ」は、合成音声信号のピッチ成分を強調するものであるから、当該音声信号のピッチ成分を強調するフィルタ機能からみて、「ピッチエンハンスメントフィルタ」といえる。
　また、当該「合成音声信号」は「オーディオ信号」といえ、そして、構成ｆの「ピッチ強調フィルタ」に入力する入力信号であるから、構成ｆの「合成音声信号」は、構成Ａの「ピッチエンハンスメントフィルタ」に入力される「予備的オーディオ信号」に相当する。
　よって、引用発明の「ピッチ強調フィルタ」と、本願発明の「ピッチエンハンスメントフィルタ」は、「予備的オーディオ信号をフィルタするピッチエンハンスメントフィルタ」である点で共通する。
　しかしながら、当該予備的オーディオ信号について、本願発明は、「オーディオビットストリームから生成された」ものである（構成Ａ）のに対し、引用発明は、そのような点が特定されていない点で、両者は相違する。
２　構成Ｃについて
　引用発明の構成ｄの「符号生成部より入力した符号より励振信号を生成し、出力する励振信号生成部と、入力した励振信号を合成フィルタに通して合成信号を生成し、出力する合成信号生成部」は、音声信号を符号化した「符号」から合成信号を生成するものである。そして、構成ｆのポストフィルタ部は、「前記合成信号生成部で生成された合成信号をポストフィルタに通し」（構成ｈ）、構成ｆのピッチ強調フィルタは、「合成音声信号のピッチ成分を強調する」と記載されていることから、当該「合成信号」と「合成音声信号」とは同じ信号であるといえる。
　よって、構成ｄの「符号生成部より入力した符号より励振信号を生成し、出力する励振信号生成部と、入力した励振信号を合成フィルタに通して合成信号を生成し、出力する合成信号生成部」は、予備的オーディオ信号を生成するといえる。
　したがって、構成ｄの「符号生成部より入力した符号より励振信号を生成し、出力する励振信号生成部と、入力した励振信号を合成フィルタに通して合成信号を生成し、出力する合成信号生成部」と、構成Ｃの「オーディオデコーダ」は、予備的オーディオ信号を生成するオーディオデコーダである点で共通する。
　しかしながら、当該予備的オーディオ信号について、本願発明は、「少なくとも２つの区別できる符号化モードから選択される符号化モードで動作するオーディオデコーダで生成され」る構成である（構成Ｃ）のに対し、引用発明は、そのような構成を有していない点で、両者は相違する。
３　構成Ｂについて
　構成ｇの前記ピッチ強調フィルタの伝達関数Ｐ（ｚ）は、「励振信号のピッチ周期の値ｌａｇ」を関数の係数とするものであり、当該「励振信号のピッチ周期の値ｌａｇ」はフィルタの特性に関する情報といえるから、構成Ｂの「フィルタリング情報」に相当する。
　また、構成ｈの「ポストフィルタ出力信号」は、合成信号をポストフィルタ部のピッチ強調フィルタに通して生成し、出力する出力信号であって、前記ピッチ強調フィルタの伝達関数Ｐ（ｚ）を用いてフィルタされる信号といえるから、構成Ｂの「フィルタ後オーディオ信号」に相当する。
　そして、構成ｈは、ポストフィルタ部が駆動されて、「前記ポストフィルタ部」は「合成信号をポストフィルタに通してポストフィルタ出力信号を生成し、出力する」ことから、引用発明のポストフィルタ部は、「ポストフィルタ部が駆動されてポストフィルタ出力信号が得られる」動作モードを有しているといえる。
　また、構成ｉは、ポストフィルタ状態更新部が駆動されて、「前記合成信号生成部」から出力された「背景雑音信号をそのまま出力する」ことから、構成ｉは、前記ポストフィルタ部が駆動されないものと解される。よって、引用発明のポストフィルタ部は、「ポストフィルタ部が駆動しない」動作モードを有しているといえる。
　したがって、引用発明のポストフィルタ部が「駆動されてポストフィルタ出力信号が得られる」動作モードと「駆動しない」動作モードを有していることは、本願発明のピッチエンハンスメントフィルタが構成Ｂの「（ｉ）前記予備的オーディオ信号がフィルタリング情報を用いてフィルタされ、フィルタ後オーディオ信号が得られるアクティブモードと、（ｉｉ）前記ピッチエンハンスメントフィルタがディスエーブルされる非アクティブモードとのうち一つから選択される動作モードを有し」ていることと一致する。
４　構成Ｄについて
　構成ａ、構成ｂ及び構成ｄの「有音／無音情報」は、ポストフィルタ制御部がポストフィルタ部の動作を制御するために用いる情報であり（構成ｄ）、ポストフィルタ部の「駆動されてポストフィルタ出力信号が得られる」動作モード（構成ｈ）と「駆動しない」動作モード（構成ｉ）を選択的に動作させるものであるから、構成Ｄの「制御情報」に相当する。
　したがって、引用発明のポストフィルタ部が、「有音／無音情報」に基づき「駆動されてポストフィルタ出力信号が得られる」動作モード（構成ｈ）または「駆動しない」動作モード（構成ｉ）で選択的に動作できることと、本願発明のピッチエンハンスメントフィルタの構成Ｄとは、「制御情報に基づきアクティブモードまたは非アクティブモードで選択的に動作でき」る構成を備えている点で共通する。
　しかしながら、当該ピッチエンハンスメントフィルタが「制御情報に基づきアクティブモードまたは非アクティブモードで選択的に動作でき」る構成について、本願発明は、「前記オーディオデコーダが前記符号化モードで動作しているとき」である（構成Ｄ）のに対し、引用発明は、そのような構成を有していない点で、両者は相違する。
　加えて、当該「制御情報」について、本願発明は「前記オーディオビットストリームに格納された」ものである（構成Ｄ）のに対し、引用発明は、そのような点が特定されていない点で、両者は相違する。
５　構成Ｅについて
　上記４で検討したとおり、構成ａ、構成ｂ及び構成ｄの「有音／無音情報」は、ポストフィルタ制御部がポストフィルタ部の動作を制御するために用いる情報であり（構成ｄ）、当該「有音／無音情報」は、ポストフィルタ部の動作モードを、「有音の場合」は「駆動されてポストフィルタ出力信号が得られる」動作モード（構成ｈ）で動作すべきことを示し、「無音の場合」は「駆動しない」動作モード（構成ｉ）で動作すべきことを示すものといえる。
　そして、当該「有音／無音情報」は、「有音の場合」または「無音の場合」におけるポストフィルタ部が動作すべき動作モードを示すパラメータであって、「有音の場合」を示す第１の値と「無音の場合」を示す第２の値を含んでいるといえる。
　したがって、引用発明の「有音／無音情報」と、本願発明の「制御情報」とは、「パラメータを含み、前記パラメータの第１の値は前記ピッチエンハンスメントフィルタが前記アクティブモードで動作すべきことを示し、前記パラメータの第２の値は前記ピッチエンハンスメントフィルタが前記非アクティブモードで動作すべきことを示す」構成を備えている点で共通する。
　しかしながら、当該「制御情報」について、本願発明は、「制御情報」が格納される「前記オーディオビットストリームはオーディオコンテンツのフレームに分割され」る構成を有する（構成Ｅ）のに対して、引用発明は、そのような構成を有していない点で、両者は相違する。
　加えて、当該制御情報に含まれる「パラメータ」について、本願発明は、「フレームタイプ」という構成を有している（構成Ｅ）のに対し、引用発明はそのような構成が特定されていない点で、両者は相違する。
５　一致点、相違点
　以上のことから、本願発明と引用発明との一致点及び相違点は、次のとおりである。
（一致点）
（Ａ’）予備的オーディオ信号をフィルタするピッチエンハンスメントフィルタであって、前記ピッチエンハンスメントフィルタは
（Ｂ）（ｉ）前記予備的オーディオ信号がフィルタリング情報を用いてフィルタされ、フィルタ後オーディオ信号が得られるアクティブモードと、
　（ｉｉ）前記ピッチエンハンスメントフィルタがディスエーブルされる非アクティブモードと
　のうち一つから選択される動作モードを有し、
（Ｃ’）前記予備的オーディオ信号はオーディオデコーダで生成され、
（Ｄ’）前記ピッチエンハンスメントフィルタは、制御情報に基づきアクティブモードまたは非アクティブモードで選択的に動作でき、
（Ｅ’）前記制御情報はパラメータを含み、
　前記パラメータの第１の値は前記ピッチエンハンスメントフィルタが前記アクティブモードで動作すべきことを示し、
　前記パラメータの第２の値は前記ピッチエンハンスメントフィルタが前記非アクティブモードで動作すべきことを示す、
（Ａ）ピッチエンハンスメントフィルタ。
（相違点）
（相違点１）（構成Ａ）
　予備的オーディオ信号について、本願発明は、「オーディオビットストリームから生成された」ものであるに対し、引用発明はそのような点が特定されていない点。
（相違点２）（構成Ｃ）
　予備的オーディオ信号について、本願発明は「少なくとも２つの区別できる符号化モードから選択される符号化モードで動作するオーディオデコーダで生成され」る構成を有しているのに対し、引用発明はそのような構成を有していない点。
（相違点３）（構成Ｄ）
　ピッチエンハンスメントフィルタが「制御情報に基づきアクティブモードまたは非アクティブモードで選択的に動作でき」る構成について、本願発明は、「前記オーディオデコーダが前記符号化モード（少なくとも２つの区別できる符号化モードから選択される符号化モード）で動作しているとき」であるのに対し、引用発明は、そのような構成を有していない点。
（相違点４）（構成Ｄ）
　制御情報について、本願発明は「前記オーディオビットストリームに格納された」ものであるのに対し、引用発明はそのような点が特定されていない点。
（相違点５）（構成Ｅ）
　制御情報について、本願発明は、制御情報が格納される「前記オーディオビットストリームはオーディオコンテンツのフレームに分割され」る構成を有するのに対し、引用発明はそのような構成を有していない点。
（相違点６）（構成Ｅ）
　制御情報に含まれるパラメータについて、本願発明は「フレームタイプ」という構成を有しているのに対し、引用発明はそのような構成が特定されていない点。
第５　判断
　上記の各相違点について検討する。
１　相違点１について
　本願発明の構成Ａに関する相違点１である「当該予備的オーディオ信号がオーディオビットストリームから生成された」と記載されていることが、本願発明のピッチエンハンスメントフィルタの発明特定事項の構造や機能等にどのような意味を有するのか検討する。
　構成Ｂは、ピッチエンハンスメントフィルタは、当該予備的オーディオ信号がフィルタされるアクティブモードとピッチエンハンスメントフィルタがディスエーブルされる非アクティブモードとのうち一つから選択される動作モードを有していることを特定している。また、構成Ｄは、前記オーディオデコーダが前記符号化モードで動作しているとき、ピッチエンハンスメントフィルタはアクティブモードまたは非アクティブモードで選択的に動作できることを特定している。また、構成Ｅは、前記制御情報はフレームタイプパラメータを含み、前記フレームタイプパラメータの第１の値及び第２の値はピッチエンハンスメントフィルタのいずれの動作モードで動作すべきことを示すことを特定している。
　よって、構成Ｂ、構成Ｄ及び構成Ｅにおいて、当該予備的オーディオ信号がオーディオビットストリームから生成されたことは、ピッチエンハンスメントフィルタの動作モードの機能や制御に差異を生じさせていないから、ピッチエンハンスメントフィルタの構造や機能等に意味を有するものとはいえない。
　そして、構成Ｃは、当該予備的オーディオ信号はオーディオデコーダで生成されたことを特定しており、ピッチエンハンスメントフィルタの構造や機能等を特定するものではない。
　以上のとおり、本願発明において、予備的オーディオ信号が「オーディオビットストリームから生成された」ものであることは、本願発明の「ピッチエンハンスメントフィルタ」の構造や機能等を何ら特定しているとはいえない。よって、相違点１は、記載上の差異ではあるが、構造や機能等の差異ではない。
　したがって、本願発明と引用発明は、相違点１について実質的に相違しているとはいえない。
２　相違点２について
　本願発明の構成Ｃに関する相違点２である「予備的オーディオ信号は、少なくとも２つの区別できる符号化モードから選択される符号化モードで動作するオーディオデコーダで生成され」と記載されていることが、本願発明のピッチエンハンスメントフィルタの発明特定事項の構造や機能等にどのような意味を有するのか検討する。
　上記１の検討と同様であり、本願発明が、予備的オーディオ信号は「少なくとも２つの区別できる符号化モードから選択される符号化モードで動作するオーディオデコーダで生成され」たものであることは、本願発明の「ピッチエンハンスメントフィルタ」の構造や機能等を何ら特定しているとはいえない。よって、相違点２は、記載上の差異ではあるが、構造や機能等の差異ではない。
　したがって、本願発明と引用発明は、相違点２について実質的に相違しているとはいえない。
３　相違点３について
　上記第３の２（２）のとおり、引用文献２に記載の周知技術を再掲すると、以下のとおりである。
（引用文献２に記載の周知技術）
　音楽モードとスピーチモードに応じて、ＭＤＣＴ操作及び量子化／エントロピー符号化による符号化／復号化処理と、ＬＰＣ及びＡＣＥＬＰによる符号化／復号化処理を選択するオーディオ信号の符号化／復号化技術。
　引用発明において、オーディオ信号の符号化／復号化に関する引用文献２に記載の周知技術を採用することは、当業者が適宜なし得る設計的事項である。
　よって、引用発明の復号化処理部の構成において、少なくとも２つの区別できる符号化モードから選択される符号化モードで動作するオーディオデコーダを採用することは、当業者が適宜なし得る設計的事項であるから、引用発明のポストフィルタ部が「制御情報に基づきアクティブモードまたは非アクティブモードで選択的に動作でき」る構成について「前記オーディオデコーダが、前記符号化モード（少なくとも２つの区別できる符号化モードから選択される符号化モード）で動作しているとき」とすることは、当業者が容易になし得ることである。
４　相違点４について
　本願発明の構成Ｄに関する相違点４である「制御情報は、「前記オーディオビットストリームに格納された」と記載されていることが、本願発明のピッチエンハンスメントフィルタの発明特定事項の構造や機能等にどのような意味を有するのか検討する。
　上記１の検討と同様であり、当該制御情報がオーディオビットストリームに格納されたことは、ピッチエンハンスメントフィルタの動作モードの機能や制御に差異を生じさせていないから、ピッチエンハンスメントフィルタの構造や機能等に意味を有するものとはいえない。よって、相違点４は、記載上の差異ではあるが、構造や機能等の差異ではない。
　したがって、本願発明と引用発明は、相違点４について実質的に相違しているとはいえない。
５　相違点５及び相違点６について
　引用文献３に記載されているように、音声符号化／復号化の分野において、符号化／復号化の処理と同様にフレーム単位でポストフィルタの処理を行う技術は周知技術であり、引用発明において、引用文献３に記載の周知技術を採用することは、当業者が適宜なし得る設計的事項である。
　よって、引用発明の復号化処理部のポストフィルタ制御部に入力する有音／無音情報を、引用文献３に記載の周知技術と同様に音声信号のフレーム単位とするように構成することは、当業者が適宜なし得る設計的事項であり、その際に、引用発明の有音／無音情報が含むパラメータを「フレームタイプ」とすることも、当業者が適宜なし得ることである。
　よって、引用発明に引用文献３に記載の周知技術を採用して、相違点５及び相違点６の構成とすることは当業者が容易になし得ることである。
６　小括
　そして、本願発明の奏する作用効果は、引用発明及び周知技術の奏する作用効果から予測される範囲内のものにすぎず、格別顕著なものということはできない。
　よって、本願発明は、引用発明及び周知技術に基づいて、当業者が容易に発明をすることができたものである。
第６　むすび
　以上のとおり、本願発明は、引用文献１に記載された発明及び引用文献２、３に記載の周知技術に基づいて、その出願前にその発明の属する技術の分
野における通常の知識を有する者が容易に発明をすることができたものであるから、特許法２９条２項の規定により特許を受けることができない。
　したがって、他の請求項に係る発明について検討するまでもなく、本願は拒絶すべきものである。
　よって、結論のとおり審決する。